(57)【特許請求の範囲】
【請求項１】
３次元（３Ｄ）プリンタにおいて、
中間転写面と、
乾燥ポリマー粉末を含む材料の層を前記中間転写面に静電的に転写するように配置された現像ステーションと、
前記中間転写面に隣接する転写定着ステーションと、
前記中間転写面に対して移動するプラテンであって、前記プラテン上の前記層の独立した積層を連続的に形成するように前記転写定着ステーションにおいて前記中間転写面上の前記層の１つに前記プラテンが接触するたびに、前記中間転写面が前記材料の層を前記プラテンに転写するプラテンと、
前記層が前記転写定着ステーションから前記プラテンに転写された後に前記層に紫外光を印加するように配置された硬化ステーションであって、前記層内の前記材料の一部のみにおけるポリマーを架橋させるように前記紫外光を選択的に印加する硬化ステーションと、
を備え、前記硬化ステーションは、前記層に限定された浸透深さに前記紫外光を提供し、前記層が配置される前記独立した積層に前記紫外光を提供することを回避する構成要素を含む、３Ｄプリンタ。
【請求項２】
前記硬化ステーションが、前記層内の前記材料の第２の部分に前記紫外光を印加せず、前記紫外光が、未架橋材料として前記第２の部分を残すように前記第２の部分におけるポリマーを架橋することなく前記一部におけるポリマーを一体に架橋する、請求項１に記載の３Ｄプリンタ。
【請求項３】
前記硬化ステーションが、前記層内の前記材料の第２の部分に前記紫外光を印加せず、前記一部が前記層の全てよりも小さく、前記一部及び前記第２の部分が前記層の異なる部分である、請求項１に記載の３Ｄプリンタ。
【請求項４】
前記硬化ステーションが、前記層内の前記材料の第２部分に前記紫外光を印加せず、
前記３Ｄプリンタが、さらに、前記第２の部分から前記一部を分離して３Ｄ印刷された部品を残すために前記第２の部分を除去するように配置された材料除去ステーションを備える、請求項１に記載の３Ｄプリンタ。
【請求項５】
前記材料除去ステーションは、溶媒リンス装置を含む、請求項４に記載の３Ｄプリンタ。
【請求項６】
前記転写定着ステーションと前記硬化ステーションとの間に配置された定着ステーションをさらに含む、請求項１に記載の３Ｄプリンタ。
【請求項７】
前記転写定着ステーション、前記定着ステーション、及び前記硬化ステーションは、前記プラテンが前記転写定着ステーションを最初に通過し、次に前記定着ステーションを通過し、そして、前記硬化ステーションを通過するように配置されている、請求項６に記載の３Ｄプリンタ。
【請求項８】
３次元（３Ｄ）プリンタにおいて、
中間転写面と、
乾燥ポリマー粉末を含む異なる材料の層を前記中間転写面に静電的に転写するように配置された現像ステーションと、
前記中間転写面に隣接する転写定着ステーションであって、前記中間転写面が前記転写定着ステーションを通過するのにともない前記層を受けるように配置された転写定着ステーションと、
前記中間転写面に対して移動するプラテンであって、前記プラテン上の前記層の独立した積層を連続的に形成するように前記転写定着ステーションにおいて前記中間転写面上の前記層の１つに前記プラテンが接触するたびに、前記中間転写面が前記異なる材料の層を前記プラテンに転写するプラテンと、
前記層が前記転写定着ステーションから前記プラテンに転写された後に前記層のそれぞれにＬＥＤ紫外光を印加するように配置されたＬＥＤ硬化ステーションであって、前記層内の前記異なる材料の一部のみにおけるポリマーを架橋させるように前記ＬＥＤ紫外光を前記層に選択的に印加するＬＥＤ硬化ステーションと
を備え、前記ＬＥＤ硬化ステーションは、前記層に限定された浸透深さに前記ＬＥＤ紫外光を提供し、前記層が配置される前記独立した積層に前記紫外光を提供することを回避する構成要素を含む、３Ｄプリンタ。
【請求項９】
前記ＬＥＤ硬化ステーションが、前記層内の前記材料の第２部分に前記ＬＥＤ紫外光を印加せず、前記ＬＥＤ紫外光が、未架橋材料として前記第２の部分を残すように前記第２の部分におけるポリマーを架橋することなく前記一部におけるポリマーを一体に架橋する、請求項８に記載の３Ｄプリンタ。
【請求項１０】
前記ＬＥＤ硬化ステーションが、前記層内の前記材料の第２の部分に前記ＬＥＤ紫外光を印加せず、前記一部が前記層の全てよりも小さく、前記一部及び前記第２の部分が前記層の異なる部分である、請求項８に記載の３Ｄプリンタ。
【請求項１１】
前記ＬＥＤ硬化ステーションが、前記層内の前記材料の第２部分に前記ＬＥＤ紫外光を印加せず、
前記３Ｄプリンタが、さらに、前記第２の部分から前記一部を分離して３Ｄ印刷された部品を残すために前記第２の部分を除去するように配置された材料除去ステーションを備える、請求項８に記載の３Ｄプリンタ。
【請求項１２】
前記材料除去ステーションは、溶媒リンス装置を含む、請求項１１に記載の３Ｄプリンタ。
【請求項１３】
前記転写定着ステーションと前記ＬＥＤ硬化ステーションとの間に配置された定着ステーションをさらに含む、請求項８に記載の３Ｄプリンタ。
【請求項１４】
前記転写定着ステーション、前記定着ステーション、及び前記ＬＥＤ硬化ステーションは、前記プラテンが前記転写定着ステーションを最初に通過し、次に前記定着ステーションを通過し、そして、前記ＬＥＤ硬化ステーションを通過するように配置されている、請求項１３に記載の３Ｄプリンタ。
【請求項１５】
３次元（３Ｄ）プリンタにおいて、
中間転写面と、
乾燥ポリマー粉末を含む異なる材料の層を前記中間転写面に静電的に転写するように配置された現像ステーションと、
前記中間転写面に隣接する転写定着ステーションであって、前記中間転写面が前記転写定着ステーションを通過するのにともない前記層を受けるように配置された転写定着ステーションと、
前記中間転写面に対して移動するプラテンであって、前記プラテン上の前記層の独立した積層を連続的に形成するように前記転写定着ステーションにおいて前記中間転写面上の前記層の１つに前記プラテンが接触するたびに、前記中間転写面が前記異なる材料の層を前記プラテンに転写するプラテンと、
前記転写定着ステーションに隣接し、前記異なる材料のガラス転移温度より高く、前記異なる材料の融点より低い温度で加熱する構成要素を含む、ヒータと、
前記層が前記転写定着ステーションから前記プラテンに転写された後に前記層のそれぞれにＬＥＤ紫外光を印加するように配置されたＬＥＤ硬化ステーションであって、前記異なる材料が前記ヒータにより前記温度で加熱されている間、前記層内の前記異なる材料の一部のみにおけるポリマーを一体に架橋させるように前記ＬＥＤ紫外光を前記層に選択的に印加するＬＥＤ硬化ステーションと
を備え、前記ＬＥＤ硬化ステーションは、前記層に限定された浸透深さに前記ＬＥＤ紫外光を提供し、前記層が配置される前記独立した積層に前記紫外光を提供することを回避する構成要素を含み、前記温度は、前記異なる材料に十分な移動性を提供し、前記異なる材料中の個々のポリマー主鎖が、選択的に印加される前記紫外光に応答して互いに物理的に接近することを可能にする、３Ｄプリンタ。
【請求項１６】
前記ＬＥＤ硬化ステーションが、前記層内の前記材料の第２部分に前記ＬＥＤ紫外光を印加せず、前記ＬＥＤ紫外光が、未架橋材料として前記第２の部分を残すように前記第２の部分におけるポリマーを架橋することなく前記一部におけるポリマーを一体に架橋する、請求項１５に記載の３Ｄプリンタ。
【請求項１７】
前記ＬＥＤ硬化ステーションが、前記層内の前記材料の第２の部分に前記ＬＥＤ紫外光を印加せず、前記一部が前記層の全てよりも小さく、前記一部及び前記第２の部分が前記層の異なる部分である、請求項１５に記載の３Ｄプリンタ。
【請求項１８】
前記ＬＥＤ硬化ステーションが、前記層内の前記材料の第２部分に前記ＬＥＤ紫外光を印加せず、
前記３Ｄプリンタが、さらに、前記第２の部分から前記一部を分離して３Ｄ印刷された部品を残すために前記第２の部分を除去するように配置された材料除去ステーションを備える、請求項１５に記載の３Ｄプリンタ。
【請求項１９】
前記材料除去ステーションは、溶媒リンス装置を含む、請求項１８に記載の３Ｄプリンタ。
【請求項２０】
前記転写定着ステーションと前記ＬＥＤ硬化ステーションとの間に配置された定着ステーションをさらに含み、前記転写定着ステーション、前記定着ステーション、及び前記ＬＥＤ硬化ステーションは、前記プラテンが前記転写定着ステーションを最初に通過し、次に前記定着ステーションを通過し、そして、前記ＬＥＤ硬化ステーションを通過するように配置されている、請求項１５に記載の３Ｄプリンタ。
【発明の詳細な説明】
【技術分野】
【０００１】
本願明細書におけるシステム及び方法は、一般に、静電印刷プロセスを使用する３次元（３Ｄ）印刷プロセスに関する。
【背景技術】
【０００２】
一般に、３Ｄ部品は、複数の水平スライスに分割された部品のディジタル表現から造形される。個々の層を印刷するための命令は、任意の所定層を形成するために印刷プロセスに対してコントローラによって送信される。３次元印刷は、例えばインクジェットプリンタを使用して物体を生成することができる。
【０００３】
１つの例示的な３段階プロセスにおいて、インクジェット装置は、プラテン上の層に支持及び造形材料を選択的に堆積し、各層は、ＵＶ紫外光源を使用して硬化させて材料のポリマーを架橋させる。これらのステップは、層毎に繰り返される。支持材料は、一般に、３Ｄ印刷が完了した後に造形材料から選択的にすすがれることができる酸性、塩基性又は水溶性ポリマーを含む。
【０００４】
静電（電子写真）プロセスは、材料を中間面（感光体ベルト又はドラムなど）に転写する２次元ディジタル画像を生成する周知の手段である。電子写真画像が転写される方法の進歩は、印刷システムの速度、効率及びディジタル特性を活用することができる。
【発明の概要】
【課題を解決するための手段】
【０００５】
例示的な３次元（３Ｄ）プリンタは、他の要素のうち、中間転写面と、異なる材料を中間転写面に静電的に転写するように配置された現像ステーションと、中間転写面に隣接する転写定着ステーションを含む。転写定着ステーションは、中間転写面が転写定着ステーションを通過するのにともない異なる材料の層を受けるように配置されている。定着ステーションは、転写定着ステーションと硬化ステーションとの間に配置されている。転写定着ステーション、定着ステーション及び硬化ステーションは、プラテンが最初に転写定着ステーションを通過した後に定着ステーションを通過し、そして硬化ステーションを通過するようにプラテンに対して配置されている。
【０００６】
そのような構造はまた、中間転写面に対して移動するプラテンを含む。中間転写面は、プラテン上の独立した層の積層を連続的に形成するように転写定着ステーションにおいて中間転写面上の層の１つにプラテンが接触するたびに異なる材料の層をプラテンに転写する。プラテン又はプラテン上の既存の独立した積層の上部に転写定着された後、定着ステーションは、プラテン上の層を一体に定着するように熱及び圧力を印加する。
【０００７】
さらに、発光ダイオード（ＬＥＤ）硬化ステーションは、層が定着ステーションにおいて定着された直後に、各層の異なる部分にＬＥＤ紫外光を選択的に印加するように配置されている。ＬＥＤ硬化ステーションは、造形材料となる層の一部においてポリマーを一体に架橋させるように層にＬＥＤ紫外光を選択的に印加する。しかしながら、ＬＥＤ硬化ステーションは、支持材料となる層の第２の部分にはＬＥＤ紫外光を印加しない。それゆえに、ＬＥＤ紫外光は、未架橋材料として支持材料を残すように支持材料におけるポリマーを架橋させずに造形材料の一部におけるポリマーを一体に架橋する。ＬＥＤ紫外光が印加される造形材料の一部は、全ての層よりも少ない（それゆえに、造形材料のこれらの部分及び支持材料は、層内の異なる部分である）。
【０００８】
３Ｄプリンタはまた、必要に応じて、異なる材料の支持材料から異なる材料の造形材料の一部を分離して３Ｄ印刷された部品を残すように、層内の異なる材料の支持材料を除去するように配置された材料除去ステーションを含むことができる。例えば、材料除去ステーションは、溶媒リンス装置などを含むことができる。
【０００９】
これらの及び他の特徴は、以下の詳細な説明に記載されているか又はそれから明らかである。
【００１０】
添付図面を参照して様々な例示的なシステム及び方法が以下に詳細に記載される。
【図面の簡単な説明】
【００１１】
【図１】図１は、溶融レオロジー曲線を示すチャートである。
【図２】図２は、本願明細書における印刷装置を部分的に示す概略断面図である。
【図３】図３は、本願明細書における印刷装置を部分的に示す概略断面図である。
【図４】図４は、本願明細書における印刷装置を部分的に示す概略断面図である。
【図５】図５は、本願明細書における印刷装置を部分的に示す概略断面図である。
【図６】図６は、本願明細書における印刷装置を部分的に示す概略断面図である。
【図７】図７は、本願明細書における印刷装置を部分的に示す概略断面図である。
【図８Ａ】図８Ａは、本願明細書におけるＬＥＤ硬化を示す概略斜視図である。
【図８Ｂ】図８Ｂは、本願明細書におけるＬＥＤ硬化を示す概略斜視図である。
【図９】図９は、本願明細書における装置によって形成される層の積層を示す拡大概略図である。
【図１０】図１０は、本願明細書における印刷装置を部分的に示す概略断面図である。
【図１１】図１１は、本願明細書における印刷装置を部分的に示す概略断面図である。
【図１２】図１２は、本願明細書における印刷装置を部分的に示す概略断面図である。
【図１３】図１３は、本願明細書における印刷装置を部分的に示す概略断面図である。
【図１４】図１４は、本願明細書における印刷装置を部分的に示す概略断面図である。
【図１５】図１５は、本願明細書における印刷装置を部分的に示す概略断面図である。
【図１６】図１６は、本願明細書における印刷装置を部分的に示す概略断面図である。
【図１７】図１７は、本願明細書における印刷装置を部分的に示す概略断面図である。
【図１８】図１８は、本願明細書における印刷装置を部分的に示す概略断面図である。
【図１９】図１９は、本願明細書における印刷装置を部分的に示す概略断面図である。
【図２０】図２０は、本願明細書における３Ｄ印刷装置を示す概略図である。
【図２１】図２１は、本願明細書における印刷エンジンを示す概略図である。
【図２２】図２２は、本願明細書における現像装置を示す拡大概略図である。
【発明を実施するための形態】
【００１２】
上述したように、静電印刷プロセスは、２次元（２Ｄ）ディジタル画像を生成する周知のプロセスであり、本願明細書における方法及び装置は、３Ｄ物品（３Ｄ印刷用）の製造のためにそのようなプロセスを使用する。しかしながら、静電プロセスを使用する３次元印刷により、非常に薄い場合には印刷される材料の機械的完全性が損なわれることがあり、転写プロセスは、材料に損傷を与える剥離せん断力を課す可能性がある。
【００１３】
３Ｄ印刷を改善するために、本開示は、静電印刷とアドレス指定可能なＬＥＤ硬化とを組み合わせる。これは、熱可塑性樹脂、セラミックスなどの材料の層を形成するために静電システムを使用することを含み、３Ｄ部品を形成するためにＬＥＤを使用して層を硬化させる。本願明細書における装置及び方法は、静電印刷の高速画像及び材料管理プロセスを利用し、材料内のポリマーを架橋するためにＬＥＤを利用する。３Ｄプロセスは、造形及び支持材料の層毎の転写定着を前提としており、材料は、望ましくは、類似した溶融レオロジー特性及びそれゆえに類似した化学構造を有する。しかしながら、類似した溶融レオロジー特性を有する材料を使用すると、溶解による分離が困難な作業になる。
【００１４】
多くの３Ｄ印刷プロセスは、異なる造形及び支持材料の同時堆積を提供し、支持材料は、印刷される３Ｄ部品を機械的に支持するために造形材料内の空隙を埋める。中間転写ベルト（ＩＴＢ）を使用する３Ｄプリンタにおける支持材料の選択の１つの態様は、支持材料が造形材料とほぼ同じ溶融レオロジーを有するべきであるということである。
【００１５】
溶融レオロジーの要件は、図１に示される仮想トナー樹脂についての理想化された溶融レオロジー曲線を考慮することによって理解されることができる。ＩＴＢ上の現像層の初期加熱並びにプラテン上の既に形成された層の粘着状態への加熱において、トナー樹脂は、プラテン上の層の完全性が転写定着中に維持され且つ転写層の完全性も維持されるように、ガラス転移温度（Ｔｇ）よりも僅かに高い温度に加熱されるべきであるが、溶融温度（Ｔｍ）よりも十分に低く維持されるべきである。転写定着後ステップ中において、最上層を下層に定着するためにＴｍに近い温度が層に付与されるべきである。そのため、特定の転写前温度を考えると、支持及び造形材料の双方が同様の状態の粘着性であり、双方の融点も同様であることが望ましい。
【００１６】
これは、造形及び支持材料の双方についての溶融レオロジー曲線がかなり類似していなければならないことを意味し、そうでなければ、温度設定点における寛容度の損失及び１つの材料又は他の材料の不十分な注入があり得る。これは、支持及び造形材料の選択において厳しい制限を設定し、したがって、樹脂化学構造（例えば、分子量、官能基の性質）を調整して２つの材料について同様の溶融レオロジー曲線を達成するための追加作業が行われる。
【００１７】
そのような問題に対処するために、本願明細書におけるシステム及び方法は、印刷される３Ｄ構造の支持及び造形部分の双方に同じ材料を使用する。しかしながら、造形部分のみがＵＶ光にさらされ、したがって、造形部分のポリマーのみが架橋され、未露光部分（支持部分）は架橋されない。これは、印刷が完了した後に支持部分から造形部分がすすがれて完成した３Ｄ印刷部品として造形部分のみを残すのを可能とする。
【００１８】
それゆえに、造形材料から支持体を分離するための１つの一般的なアプローチは、２つの材料の溶解度の差を利用することである。造形材料を溶解しない溶媒において支持材料を可溶性にすることが望ましい。一般的にいえば、後者の条件は、溶融レオロジーが類似しているという要件と相反する。類似する溶融レオロジーは、類似する化学構造（分子量、官能基）を意味するが、溶解度の差異は、異なる化学構造（異なる分子量及び官能基）を意味する。同様に、本願明細書に記載されたシステム及び方法は、造形及び支持材料についての異なる要件を調和させるとともに、印刷される３Ｄ構造の支持及び造形部分の双方について同じ材料を使用することによって現在のトナー及び樹脂から構成された支持材料の機械的特性（強度、耐衝撃性など）を改善する。しかしながら、造形部分のみがＵＶ光にさらされ、したがって、造形部分のポリマーのみが架橋される。
【００１９】
そのような問題のため、本願明細書における方法及び装置により、造形及び支持材料は、双方とも、単一の均一なＵＶ放射線硬化性トナー材料として開始する。以前に形成された積層に転写定着した後に堆積されたトナーを像どおりに露光するために、ＵＶ  ＬＥＤ画像バーが使用される。それゆえに、像どおりに架橋されたトナーは造形材料となる。ＩＴＢに特定のパターンで造形材料を転写する現像装置を有することによって造形材料パターンを現像するよりもむしろ、本願明細書における方法及び装置により、造形パターンは、後プロセスのＵＶ  ＬＥＤ硬化中に均一層の部分のみを選択的に照射することによって形成される。したがって、均一層の未露光領域は、支持材料に対応する。これは、ユーザが転写定着ステーションにおける粘着性転写と相互に両立する２つの材料を見出すことを回避し、労力及びコストの双方の大幅な節約を提供する。さらに、ＵＶ曝露を行うためにＬＥＤを使用すると、ＬＥＤは、レーザなどの大型でより高価な装置と比較して、非常に電力効率が良好であるのみならず、一般に比較的安価であって比較的小さいことから、大幅なコスト及びパッケージングの利益を提供する。
【００２０】
より具体的には、現像層及びＩＴＢは、転写定着前に現像層を「粘着性」状態にするために局所的に加熱される（すなわち、ガラス転移温度（Ｔｇ）よりも高いがトナー樹脂の溶融又は融解温度Ｔｍよりも低い）。そして、（ほぼ同じ温度に加熱された）加熱されたプラテンは、ＩＴＢ−プラテンニップを通って平行移動するのにともない粘着層と同期して接触される。それゆえに、（トナー／ベルト電荷差に基づいて）静電的に転写されるのではなく、それは、現像層及び現像層をプラテン（又は以前に転写された現像層）に転写させる加熱されたプラテン（又は以前に転写された現像層）の粘着特性である。プラテンは、加熱されたトナー／ＩＴＢ界面に接触する際にトナーを粘着状態に保つように加熱され、そうすることは、トナー層がＩＴＢから分離して以前に堆積された層を含むことができるプラテン表面に圧力下で転写されるのを可能とする。（多くのトナーに存在する）ワックスは、ＩＴＢから離れる際に粘着性のトナー層を助けるために、造形／支持材料配合物中に含めることができる。それゆえに、現像／加熱層をＩＴＢから分離するのを助けるためにワックス状トナーが使用可能である。あるいは、「テフロン様」コーティングを有するＩＴＢが使用可能である。
【００２１】
プラテンへの転写定着に続いて、上層をそれらの下層に定着するためにプラテン上の造形層に追加の熱が印加される。このステップにおける温度は、トナー樹脂の溶融温度に近くなければならない。この温度において、互いに物理的に接近するために個々のポリマー骨格鎖の十分な移動度がある。トナー樹脂がこのより液体状態にあるとき、ＵＶ放射線は、造形される部品が位置する層の部分に選択的に印加される。ＵＶ露光されたそれらの領域のみが架橋されることから、これらの領域は、造形材料に対応し、支持材料として機能する未露光の未架橋領域を残す。
【００２２】
これに続いて、部品材料は、Ｔｇにより近くまで冷却され、プラテンは、追加層を追加する準備ができたそのホーム位置に戻される。このプロセスを繰り返すことにより、部品が製造されることができるより厚い層を造形することができる。
【００２３】
ＵＶ照射によるさらなる考慮事項は、ＵＶ露光された造形層の下方の任意の支持層が不注意に露出されて架橋されるべきでないということである。これは、造形／支持材料内の光開始剤の性質及び濃度の賢明な選択によって制御されることができる。１つの例において、光開始剤は、１〜５重量％の添加量において造形／支持材料樹脂中に存在するように制御されることができる。いくつかの材料により、１％のみの光がそのような層に４０μｍ浸透するにすぎない。これは、４０μｍを超える厚さを有する層のＵＶ放射線に対する許容可能な浸透深さであり得る。他の例において、ＵＶ浸透が印刷される層の厚さに対応するように制御されることができるように、光開始剤の添加量は増減されることができる。それゆえに、特定の光開始剤濃度及び厚さが本願明細書において言及されているが、そのようなものは単なる例にすぎず、当業者は、ＵＶ露光が以前にＵＶ硬化された層である下層に有意な不注意の浸透を有しない限り、いかなる濃度の光開始剤も使用可能であることを理解するであろう。
【００２４】
本願明細書における装置及び方法は、それぞれ異なる色又は異なる材料について単一の現像ステーション又は一連の現像ステーションを使用することができる。例えば、トナーの唯一の材料の差異が色である（そして、全ての他の材料特性が同じである）複数の現像ステーションが使用可能である。あるいは、異なる現像ステーションは、異なる材料を提供することができる。
【００２５】
しかしながら、単一の現像ステーションが使用される場合、同じ材料の連続した均一層がＩＴＢに静電的に転写される。複数の現像ステーションが使用される場合、各ステーションは、異なる像を現像してＩＴＢに静電的に転写する。複数の材料像は、ＩＴＢ上で単一の現像層に結合される。
【００２６】
そして、現像層は、加熱されて粘着性になり、プラテンに転写される。現像層がプラテンに転写されると、プラテンは、ＬＥＤ硬化ステーションに移動する。硬化ステーションは、固体部品を形成するために材料粒子の一部のみを選択的に硬化させる。硬化が行われると、プラテンは、ホーム（初期）位置に移動してプロセスを繰り返し、次層を追加する。このプロセスは、固体部品が形成されるまで繰り返される。それゆえに、本願明細書における装置及び方法は、（潜在的に複数の材料及び／又は色を使用して）部品又はアセンブリを形成することができる。これは、３Ｄ物品をより高速に形成するために高速の静電印刷プロセスを利用する。
【００２７】
図２に示されるように、本願明細書における例示的な３次元（３Ｄ）プリンタは、他の要素のうち、ローラー１１２上に支持されたドラム又は中間転写ベルト（ＩＴＢ）などの中間転写面１１０と、１つ以上の印刷要素（例えば、現像装置１１４）とを含む。図２において、物品１１８はプラテンであり、物品１２０は転写定着ヒータであり、物品１２２は定着ステーションであり、物品１４２は硬化ステーション（例えば、ＬＥＤ）であり、物品１４８は支持材料除去ステーションである。さらに、物品１３０は転写定着ニップであり、物品１３４及び１３６は、各現像層１０２の前縁及び後縁を示している。本願明細書における装置は、図２に示されるように、１つの現像装置のみを含むことができるか、又は、後述する図２０に示されるように、多くを含むことができる。さらに、（表面又はベルトとすることができる）プラテン１１８は、ＩＴＢ１１０に隣接している。この例において、プラテン１１８は、真空ベルトである。
【００２８】
図２は、（潜在的に乾燥した）粉末ポリマーワックス材料（例えば、帯電した３Ｄトナー）などの材料１０２をＩＴＢ１１０に静電的に転写するように印刷要素１１６が配置されていることを示している。静電転写は、（例えば、電荷発生器１２８によって生成される）ベルトと転写される材料１０２との電荷差によって生じる。要素１０２は、時には「現像層」と称されることもある。現像層１０２は、ＩＴＢ１１０の別個の領域上にあり、均一な矩形とすることができるか、又は、その層（及びその関連する支持要素）における３Ｄ構造の要素に対応するパターンとすることができる。
【００２９】
図３に示されるように、転写定着ステーション１３０は、ＩＴＢ１１０に隣接している。転写定着ステーション１３０は、ＩＴＢ１１０の一方側において、ＩＴＢ１１０を支持するローラー１１２を含む。転写定着ステーション１３０は、ＩＴＢ１１０が転写定着ステーション１３０へと移動するのにともない層１０２を受けるように配置されている。より具体的には、材料現像ステーション１１４及び転写定着ステーション１３０は、ＩＴＢ１１０がプロセス方向に移動しているときに、ＩＴＢ１１０上の層１０２が材料現像ステーション１１４を最初に通過した後に転写定着ステーション１３０を通過するようにＩＴＢ１１０に対して配置されている。
【００３０】
したがって、現像装置１１４によってＩＴＢ上に印刷される材料は、所定長を有する現像層１０２を形成する。同様に、図３に示されるように、現像層１０２のそれぞれは、ＩＴＢ１１０が移動している（ＩＴＢ１１０の隣にある矢印によって示されている）プロセス方向に向かって配向された前縁１３４と、前縁１３４に対向する後縁１３６とを有する。
【００３１】
図３における垂直矢印によって示されるように、プラテン１１８は、プラテン１１８がＩＴＢ１１０とするように（（全て一般に物品１１８によって示される）モータ、ギア、プーリ、ケーブル、ガイドなどを使用して）ＩＴＢ１１０に向かって移動する。現像層１０２及びＩＴＢ１１０は、転写前に現像層１０２を「粘着性」状態（すなわち、ガラス転移温度（Ｔｇ）よりも高いがトナー樹脂の溶融又は融解温度Ｔｍよりも低い温度まで）にするように、ヒータ１２０によって局部的に加熱される。プラテン１１８はまた、ヒータ１２０によってほぼ同じ温度まで加熱された後、ＩＴＢ−プラテンニップ（転写定着ニップ１３０）を通って平行移動する際に粘着層１０２と同期して接触される。それにより、ＩＴＢ１１０は、プラテン１１８上の造形材料１０２及び支持材料１０５の現像層１０２を連続的に形成するように、プラテン１１８がＩＴＢ１１０に接触するたびに、造形材料１０２及び支持材料１０５の現像層１０２の１つをプラテン１１８に転写する。
【００３２】
より具体的には、図３に示されるように、転写ニップ１３０において、転写ニップ１３０内の現像層１０２の前縁１３４は、プラテン１１８の対応する位置に転写され始める。それゆえに、プラテン１１８は、現像層１０２の前縁１３４が転写ニップ１３０のローラーの最低位置にある位置においてＩＴＢ１１０上の現像層１０２と接触するように移動する。この例において、現像層１０２の後縁１３６は、まだ転写ニップ１３０に到達しておらず、したがって、まだプラテン１１８に転写されていない。
【００３３】
図４に示されるように、プラテン１１８は、現像層１０２が汚れなくプラテン１１８上に清浄に転写するのを可能とするように、プラテン真空ベルトを移動又は回転させることによってＩＴＢ１１０と同期して移動する（ＩＴＢ１１０と同じ速度及び同じ方向に移動する）。図４において、現像層１０２の後縁１３６は、まだ転写ニップ１３０に到達しておらず、したがってプラテン１１８に転写されていない唯一の部分である。そして、ＩＴＢ１１０がプロセス方向に移動するのにともない、プラテン１１８は、現像層１０２の後縁１３６が転写ニップ１３０のローラーの底部に到達するまで、ＩＴＢ１１０と同じ速度及び同じ方向に移動し、その時点で、プラテン１１８は、図５に示されるように、ＩＴＢ１１０から離れ、定着ステーション１２２へと移動する。
【００３４】
図５において、プラテン１１８は、加熱された加圧ローラー１２２を含むことができる定着ステーション１２０へと移動する。図６に示されるように、プラテン１１８は、加圧ローラーの回転に同期して移動し、現像層１０２をプラテン１１８（又はプラテン１１８上に存在する以前に転写された層１０２）に結合するように加熱及び加圧する。これらのプラテン１１８とＩＴＢ１１０（及び加圧ローラー）との間の同期移動は、現像装置１１４及び１１６によって印刷された支持及び造形材料のパターン（１０２）を歪み又は汚れなしでＩＴＢ１１０からプラテン１１８に正確に転写させる。
【００３５】
図７に示されるように、定着ステーション１２２は、転写定着ステーション１３０と硬化ステーション１４２との間に配置されている。転写定着ステーション１３０、定着ステーション１２２及び硬化ステーション１４２は、プラテン１１８が転写定着ステーション１３０を最初に通過した後に定着ステーション１２２を通過し、そして硬化ステーション１４２を通過するように、プラテン１１８に対して配置されている。それゆえに、発光ダイオード（ＬＥＤ）硬化ステーション１４２は、各層が定着ステーション１２２において定着された直後に各層１０２の異なる部分にＬＥＤ紫外光を選択的に印加するように配置されている。プラテン１１８は、現像層１０２のそれぞれを独立して硬化させて各現像層１０２をプラテン１１８、プラテン１１８上に既に定着された任意の以前に転写された現像層１０２に連続的に接合するように、ＩＴＢ１１０が現像層１０２のそれぞれをプラテン１１８に転写した後（及びそのような層のそれぞれが定着ステーション１２２において定着された後）に硬化ステーション１４２へと移動する。
【００３６】
ＬＥＤ硬化ステーション１４２は、造形材料となる層１０２の一部におけるポリマーを一体に架橋するように、層１０２にＬＥＤ紫外光１４６を選択的に印加する。しかしながら、ＬＥＤ硬化ステーションは、支持材料となる層の第２の部分にＬＥＤ紫外光を印加しない。それゆえに、ＬＥＤ紫外光は、未架橋材料として支持材料を残すように支持材料におけるポリマーを架橋することなく造形材料の一部におけるポリマーを一体に架橋する。
【００３７】
図８Ａ〜図８Ｂは、硬化ステーション１４２において処理される層１０２の１つを示している。より具体的には、図８Ａにおいて、単一点光源ＵＶ  ＬＥＤ素子１４２は、材料層１０２の均一領域の異なる領域を指向的に露光することができる一方で、図８Ｂにおいて、ＵＶ  ＬＥＤ素子１４２は、同様に異なる領域を選択的に露光するアレイ素子である。２つの構成が示されているが、当業者は、物品１４２が他の部分（１０５）を照射することなく層１０２の特定の部分（１０４）を選択的に照射するようにアドレス指定可能なパターンでＵＶ波長光を提供するＬＥＤ光の任意の形態であることを理解するであろう。
【００３８】
例えば、図８Ａに示される単一点ＬＥＤ１４２は、（レンズ、プリズムなど１４３を使用して）ＵＶ光の集束点を提供し、ＬＥＤ１４２は、層が静止している又は移動しているときに層１０２の異なる部分にＵＶ光の集束点を向けるように（矢印によって示されるように）回転させ、それにより、層１０２の選択された部分にのみＵＶ放射線を供給するように、モータ、ギア（その全ては、物品１４２によって概略的に示される）などを含む。
【００３９】
図８Ｂに示される他の例において、ＬＥＤ１４２は、複数のＬＥＤ１４５の全幅アレイとして示されている。アレイ１４２は、層１０２と少なくとも同じ幅とすることができ、アレイ１４２は、層の幅にわたって（例えば、平行に）配置された細長構造であり、アレイ１４２は、層１０２の幅に愛して垂直な方向に移動する。それゆえに、ＬＥＤのアレイ１４２は、ＬＥＤ１４５のうちの選択されたものが照射するときに（矢印によって示されるように）比較的層１０２の前縁から後縁まで移動し、このプロセスにより、ＬＥＤのアレイ１４２は、層１０２の選択された部分に対してＵＶ放射線を供給するのみである。ＬＥＤのアレイ１４２は、モータ及びギア（その全ては、物品１４２によって概略的に示されている）を使用して移動することができるか、又は、ＬＥＤのアレイ１４２は静止することができ、層１０２を含むプラテン１１８は、アレイ１４２における個々のＬＥＤ１４５のそれぞれが照射するのにともない、ＬＥＤのアレイ１４２によって層１０２を通過することができる。当業者は、図８Ａ及び図８Ｂが層１０２のうちの選択された部分（１０４）にＵＶ放射線をアドレス指定可能に供給するためにＬＥＤが使用されることができる２つの方法を示していることを理解するであろう。
【００４０】
したがって、図８Ａ及び図８Ｂの双方において、ＬＥＤ紫外光１４６は、材料１０２の一部を硬化させてそれを造形材料１０４に変性し、ＬＥＤ紫外光１４６を層１０２の他の部分に供給しない（これらの非硬化部分は、支持材料が層１０２の材料と同じであっても、そのようなものを硬化された造形材料１０４と区別するために時には「支持材料１０５」と称される）。それゆえに、ＬＥＤ紫外光１４６は、未架橋溶融材料として支持材料１０５を残すように未露光支持材料１０５におけるポリマーを架橋することなく材料１０４の露光部分におけるポリマーを架橋する。同様に、造形材料１０４及び支持材料１０５のこれらの部分は、同じ溶融層１０２の異なる部分である。
【００４１】
硬化プロセスに関して、材料１０２は、それらのガラス転移温度とそれらの溶融温度との間の温度までそのような材料１０２を加熱して、その形状又はパターンに影響を及ぼすことなく材料１０２を１つに接合することによって（完全に溶融されることなく）硬化されることができ、それにより、堅い構造を形成する。それゆえに、本願明細書における方法及び装置により、プラテンは、層１０２が著しく冷却される前に且つ層１０２が依然としてガラス転移温度と溶融温度の間にある間に硬化ステーション１４２へと移動する。
【００４２】
当業者は、造形及び支持材料の選択が硬化ステーション１４２によって行われる硬化プロセスの種類によって調整されることを理解するであろう。さらに、他の硬化処理及び要素が使用可能であり、上述したことは、１つの限定的な例としてのみ提示されるにすぎず、本願明細書における装置及び方法は、現在知られているか又は将来開発されるかにかかわらず、そのような方法及び要素の全てに適用可能である。さらに、そのような処理において、プラテン１１８は、（潜在的に冷却されて除湿された）吹き付け空気を供給する冷却ステーションへと移動することができ、又は、プラテン１１８は、次の処理ステップに移動する前に層１０２を冷却するのを可能とするように一時停止することができる。
【００４３】
図９に示されるように、複数の現像層１０２におけるポリマーを積層１０６に架橋するために図２〜図７における処理が繰り返される。定着ステーション１２２は、各現像層１０２内の材料を一体に定着し、また、直近にプラテン１１８に転写された直接隣接した（例えば、プラテン１１８上で互いに接触する層１０２を接合する）現像層１０２に各現像層１０２を定着する。現像層１０２の積層１０６が成長するのにともない、追加の現像層１０２は、積層１０６の上部に形成される（図１０）。図１１に示されるように、そのような追加の現像層１０２は、定着ステーション１２２によって一体に定着される。図１２において、硬化ステーション１４２は、積層１０６の最上層１０２のみにおけるポリマーを架橋するように最上層の部分のみを選択的に硬化させる。
【００４４】
図１３は、全ての層１０２が転写、定着及び硬化された後に積層１０６の全体が完全に形成されることを示している。さらに、図１３は、独立した積層１０６の堆積内の支持材料１０５及び造形材料１０４の部分を示すオーバーレイを示している。そのようなものは、視認可能であってもなくてもよく、そのような造形及び支持材料が配置されることができる１つの例示的な方法を示すために図示されているにすぎない。
【００４５】
独立した積層１０６の３Ｄ構造は、外部溶媒浴などを使用して支持材料１０５を手動除去するのを可能とするように出力されることができ、又は、図１４〜図１６に示されるように自動処理が進められることができる。より具体的には、図１４に示されるように、支持材料除去ステーション１４８は、プラテン１１８上の現在硬化された３Ｄの独立した積層１０６を受けられるように配置されている。支持材料除去ステーション１４８は、溶媒、水など１５６を加える。支持材料除去ステーション１４８によって加えられる任意の溶媒１５６は、造形材料１０４に影響を及ぼすことなく支持材料１０５を溶解するように選択される。同様に、上述したように、利用される溶媒は、造形材料１０４及び支持材料１０５の化学構成に依存する。図１５は、支持材料１０５の約半分が残っており、造形材料１０４の一部が支持材料１０５の残りの積層から突出する処理を示している。図１６は、支持材料除去ステーション１４８が全ての支持材料１０５を溶解又は除去した後に、造形材料１０４のみを残し、造形材料１０４のみから構成された完成した３Ｄ構造を残す処理を示している。
【００４６】
図１７及び図１８は、図１に示される転写ニップ１３０の代わりに平面転写定着ステーション１３８を含む本願明細書における代替的な３Ｄ静電印刷構造を示している。図１７に示されるように、平面転写定着ステーション１３８は、ローラー１１２の間にあり且つプラテン１１８に平行なＩＴＢ１１０の平面部である。図１８に示されるように、この構造により、プラテン１１８が平面転写定着ステーション１３８に接触するように移動すると、現像層１０２の全てがプラテン１１８又は部分的に形成された積層１０６に同時に転写され、図３及び図４に示される回転転写プロセスを回避する。あるいは、図１９に示されるように、ドラム１５８は、ＩＴＢ１１０の代わりに使用されることができ、他の全ての要素は、本願明細書において記載されるように動作する。それゆえに、ドラム１５８は、上述したように、現像ステーション１１４からの材料を受ける中間転写面とすることができるか、又は、感光体とすることができ、電荷の潜像を維持して現像装置２５４からの材料を受けることによって後述する感光体２５６として動作することができる。
【００４７】
図２０は、本願明細書における３Ｄプリンタ構造２０４の多くの構成を示している。３Ｄ印刷装置２０４は、コントローラ／有形プロセッサ２２４と、有形プロセッサ２２４及び印刷装置２０４の外部のコンピュータ化ネットワークに動作可能に接続された通信ポート（入力／出力）２１４とを含む。また、印刷装置２０４は、グラフィカルユーザインターフェース（ＧＵＩ）アセンブリ２１２などの少なくとも１つのアクセサリ機能要素を含む。ユーザは、グラフィカルユーザインターフェース又はコントロールパネル２１２から、メッセージ、命令及びメニューオプションを受信し、グラフィカルユーザインターフェース又はコントロールパネル２１２を介して命令を入力することができる。
【００４８】
入力／出力装置２１４は、３Ｄ印刷装置２０４との間の通信に使用され、（現在知られているか又は将来開発されるかにかかわらず、任意の形態の）有線装置又は無線装置を備える。有形プロセッサ２２４は、印刷装置２０４の様々な動作を制御する。（光、磁気、コンデンサベースなどとすることができ、一時的信号とは異なる）持続性有形コンピュータ記憶媒体装置２１０は、有形プロセッサ２２４によって読み取り可能であり、コンピュータ化装置が本願明細書に記載されたものなどの様々な機能を実行するのを可能とするように有形プロセッサ２２４が実行する命令を記憶する。それゆえに、図２０に示されるように、本体ハウジングは、電源２１８によって交流（ＡＣ）電源２２０から供給される電力で動作する１つ以上の機能部品を有する。電源２１８は、一般的な電力変換ユニット、電力貯蔵素子（例えば、電池など）などを含むことができる。
【００４９】
３Ｄ印刷装置２０４は、上述したようにプラテン上に造形及び支持材料の連続層を堆積させる少なくとも１つのマーキング装置（印刷エンジン）２４０を含み、専用画像プロセッサ２２４（すなわち、画像データの処理に特化されていることから汎用コンピュータとは異なる）に動作可能に接続されている。また、印刷装置２０４は、（電源２１８を介して）外部電源２２０から供給される電力において同様に動作する（スキャナ２３２などの）少なくとも１つのアクセサリ機能要素を含むことができる。
【００５０】
１つ以上の印刷エンジン２４０は、現在知られているか又は将来開発されるかにかかわらず、造形及び支持材料（トナーなど）を塗布する任意のマーキング装置を示すように意図されており、例えば、（図２１に示されるような）中間転写ベルト１１０を使用する装置を含むことができる。
【００５１】
それゆえに、図２１に示されるように、図２０に示される印刷エンジン２４０のそれぞれは、１つ以上の潜在的に異なる（例えば、異なる色、異なる材料など）造形材料現像ステーション１５２〜１５８、１つ以上の潜在的に異なる（例えば、異なる色、異なる材料など）支持材料現像ステーションなどを利用することができる。現像ステーション１５２〜１５８は、個々の静電マーキングステーション、個々のインクジェットステーション、個々のドライインクステーションなど、現在知られているか又は将来開発される任意の形態の現像ステーションとすることができる。現像ステーション１５２〜１５８のそれぞれは、（中間転写ベルト１１０の状態とは潜在的に無関係に）単一ベルト回転の間に連続して中間転写ベルト１１０の同じ位置に材料のパターンを転写し、それにより、十分且つ完全な画像が中間転写ベルト１１０に転写される前に中間転写ベルト１１０が通過しなければならない回数を低減させる。
【００５２】
それゆえに、図２１は、異なる色の材料を中間転写ベルト（ＩＴＢ１１０）に静電的に転写するように配置された異なる色の現像ステーション１５２〜１５８を示している。例えば、それぞれ異なる現像ステーション１５２〜１５８は、他の現像ステーション１５２〜１５８によって供給される材料の色とは異なる材料の色を供給することができる。図２１は、回転ベルト（１１０）に隣接又は接触する４つの現像ステーションを示しているが、当業者によって理解されるように、そのような装置は、任意数のマーキングステーション（例えば、１、２、３、５、８、１１など）を使用することができる。
【００５３】
中間転写ベルト１１０に隣接して（又は潜在的に接触して）配置された１つの例示的な個々の静電現像ステーション１１４が図２２に示されている。個々の静電現像ステーション１１４のそれぞれは、内部感光体２５６上に均一な電荷を形成する独自の帯電ステーション２５８と、帯電潜像に均一な電荷をパターン形成する内部露光装置２６０と、帯電潜像に適合するパターンで感光体２５６に造形又は支持材料を転写する内部現像装置２５４とを含む。そして、造形又は支持材料のパターンは、造形又は支持材料の電荷に対する中間転写ベルト１１０の逆電荷、すなわち中間転写ベルト１１０の反対側において電荷発生器１２８によって通常生成される電荷によって感光体２５６から中間転写ベルト１１０へと引き込まれる。
【００５４】
ＵＶ硬化性トナーは、樹脂骨格構造、隣接するポリマー鎖を一体に結合する任意の架橋剤及びＵＶ光開始剤においてエチレン性不飽和（二重結合）を有する樹脂を含む。時には、トナー樹脂のポリマー骨格が隣接するポリマー骨格によって所望の架橋を達成することができるエチレン性不飽和を含有することから、架橋剤は省略される。これにかかわらず、所望であれば、様々な高温安定架橋剤はまた、材料トナー樹脂１０２に組み込まれることができる。
【００５５】
米国特許第８，４８８，９９４号明細書に示されるように、電子写真法を使用した３Ｄ部品を印刷するための積層造形システムが知られている。このシステムは、表面を有する感光体要素と、感光体要素の表面上に材料の層を現像するように構成された現像ステーションとを含む。このシステムはまた、回転可能な感光体要素の表面から現像層を受けるように構成された転写媒体と、受けた層の少なくとも一部から３Ｄ部品を印刷するために層毎に転写要素から現像層を受けるように構成されるプラテンとを含む。
【００５６】
米国特許第７，２５０，２３８号明細書に開示されるようなＵＶ硬化性トナーに関して、印刷プロセスにおいてＵＶ硬化性トナー組成物を利用する方法と同様にＵＶ硬化性トナー組成物を提供することが知られている。米国特許第７，２５０，２３８号明細書は、実施形態において約１００ｎｍから約４００ｎｍのＵＶ光などのＵＶ放射線にさらすことによって硬化可能なトナーの生成を可能とする様々なトナーエマルジョン凝集プロセスを開示している。米国特許第７，２５０，２３８号明細書において、生成されたトナー組成物は、温度感受性包装及びホイルシールの製造などの様々な印刷用途において利用されることができる。米国特許第７，２５０，２３８号明細書において、実施形態は、任意の着色剤、任意のワックス、スチレンから生成されるポリマー、並びに、ブチルアクリレート、カルボキシエチルアクリレート及びＵＶ光硬化性アクリレートオリゴマーからなる群から選択されるアクリレートを含むＵＶ硬化性トナー組成物に関する。さらに、これらの態様は、顔料、任意のワックス、及びＵＶ硬化性脂環式エポキシドから生成されたポリマーなどの着色剤からなるトナー組成物に関する。
【００５７】
さらに、米国特許第７，２５０，２３８号明細書は、スチレン、ブチルアクリレート、カルボキシエチルアクリレート、及びＵＶ硬化アクリレートから形成されるポリマーを含有するラテックスを着色剤及びワックスと混合することと、必要に応じて第２の混合物に分散されたトナー前駆体粒子の凝集及び形成を引き起こすようにこの混合物に凝集剤を添加することと、トナー粒子を形成するためにポリマーのガラス転移温度（Ｔｇ）以上の温度までトナー前駆体粒子を加熱することと、必要に応じてトナー粒子を洗浄することと、必要に応じてトナー粒子を乾燥させることとを含むＵＶ硬化性トナー組成物を形成する方法を開示している。さらなる態様は、この方法によって製造されたトナー粒子に関する。
【００５８】
いくつかの例示的な構造が添付図面に示されているが、当業者は、図面は簡略化された概略図であり、以下に提示される特許請求の範囲は図示されていない（又は潜在的に多くはない）がそのような装置及びシステムとともに一般的に利用されるより多くの特徴を包含することを理解するであろう。したがって、特許出願人は、以下に提示される特許請求の範囲が添付図面によって限定されることを意図しておらず、代わりに、添付図面は、特許請求された特徴が実施されることができるいくつかの方法を例示するために提供されるにすぎない。
【００５９】
多くのコンピュータ化された装置が上述されている。チップベースの中央処理装置（ＣＰＵ）と、（グラフィックユーザインターフェース（ＧＵＩ）、メモリ、コンパレータ、有形プロセッサなどを含む）入力／出力装置とを含むコンピュータ化装置は、米国テキサス州ラウンドロックのデルコンピュータ及び米国カリフォルニア州クパチーノのアップルコンピュータ社などの製造業者によって製造された周知且つ容易に入手可能な装置である。そのようなコンピュータ化装置は、一般に、入力／出力装置、電源、有形プロセッサ、電子記憶メモリ、配線などを含み、読者が本願明細書に記載されるシステム及び方法の顕著な態様にフォーカスするのを可能とするように、その詳細は本願明細書から省略されている。同様に、プリンタ、複写機、スキャナ及び他の類似の周辺機器は、米国コネチカット州ノーウォークのゼロックス社から入手可能であり、そのような装置の詳細は、簡潔性及び読者のフォーカスの目的のために本願明細書においては記載されない。
【００６０】
本願明細書において使用されるプリンタ又は印刷装置という用語は、任意の目的のために印刷出力機能を実行するディジタル複写機、製本機、ファクシミリ装置、複合機などの任意の装置を包含する。プリンタや印刷エンジンなどの詳細は周知であり、提示された顕著な特徴にフォーカスされた本開示を維持するために本願明細書においては詳細に記載されない。本願明細書におけるシステム及び方法は、カラー、モノクロで印刷する又はカラー若しくはモノクロ画像データを処理するシステム及び方法を包含することができる。全ての上述したシステム及び方法は、静電及び／又は電子写真装置及び／又はプロセスに特に適用可能である。
【００６１】
本発明の目的のために、定着という用語は、乾燥、硬化、重合、架橋、結合、又は付加反応若しくはコーティングの他の反応を意味する。さらに、本願明細書において使用される「右（ｒｉｇｈｔ）」、「左（ｌｅｆｔ）」、「垂直（ｖｅｒｔｉｃａｌ）」、「水平（ｈｏｒｉｚｏｎｔａｌ）」、「上部（ｔｏｐ）」、「底部（ｂｏｔｔｏｍ）」、「上（ｕｐｐｅｒ）」、「下（ｌｏｗｅｒ）」、「下方（ｕｎｄｅｒ）」、「下（ｂｅｌｏｗ）」、「下層（ｕｎｄｅｒｌｙｉｎｇ）」、「上（ｏｖｅｒ）」、「上層（ｏｖｅｒｌｙｉｎｇ）」、「平行（ｐａｒａｌｌｅｌ）」、「垂直（ｐｅｒｐｅｎｄｉｃｕｌａｒ）」などの用語は、（特に断らない限り）それらが図面において配向及び図示されるように相対的位置であると理解される。「接触（ｔｏｕｃｈｉｎｇ）」、「上（ｏｎ）」、「直接接触（ｉｎ  ｄｉｒｅｃｔ  ｃｏｎｔａｃｔ）」、「当接（ａｂｕｔｔｉｎｇ）」、「直接隣接（ｄｉｒｅｃｔｌｙ  ａｄｊａｃｅｎｔ  ｔｏ）」などの用語は、少なくとも１つの要素が（記載された要素を分離する他の要素なしで）他の要素に物理的に接触することを意味する。さらに、自動化又は自動的にという用語は、（機械又はユーザによって）処理が開始されると、１つ以上の機械がユーザからのさらなる入力なしで処理を行うことを意味する。本願明細書における図面において、同一の識別符号は、同一又は類似の項目を識別する。
【００６２】
上記開示された及び他の特徴及び機能又はその代替例は、多くの他の異なるシステム又は用途に望ましくは組み合わせることができることが理解されるであろう。様々な現在予見できない又は予測されない代替例、変更例、変形例又は改良は、当業者によって後に行われることができ、以下の特許請求の範囲に包含されるようにも意図される。特定の請求項自体に具体的に定義されない限り、本願明細書におけるシステム及び方法のステップ又は構成要素は、任意の特定の順序、数、位置、大きさ、形状、角度、色又は材料に対する限定として任意の上記例から暗示又は取り込まれることはできない。
【図１】
0006785183.tif 000002
【図２】
0006785183.tif 000003
【図３】
0006785183.tif 000004
【図４】
0006785183.tif 000005
【図５】
0006785183.tif 000006
【図６】
0006785183.tif 000007
【図７】
0006785183.tif 000008
【図８Ａ】
0006785183.tif 000009
【図８Ｂ】
0006785183.tif 000010
【図９】
0006785183.tif 000011
【図１０】
0006785183.tif 000012
【図１１】
0006785183.tif 000013
【図１２】
0006785183.tif 000014
【図１３】
0006785183.tif 000015
【図１４】
0006785183.tif 000016
【図１５】
0006785183.tif 000017
【図１６】
0006785183.tif 000018
【図１７】
0006785183.tif 000019
【図１８】
0006785183.tif 000020
【図１９】
0006785183.tif 000021
【図２０】
0006785183.tif 000022
【図２１】
0006785183.tif 000023
【図２２】
0006785183.tif 000024